(57)【特許請求の範囲】
【請求項１】
記憶媒体に記憶される画像に対するプリント条件が記述されたプリント情報、再生条件が記述された再生情報、送信条件が記述された送信情報とを記憶可能な設定記憶手段と、
前記プリント情報、前記再生情報、前記送信情報のいずれかに対して情報を追記するための追記情報を記憶する情報記憶手段と、
撮像手段によって画像を取得する前に、前記画像のプリント情報、前記再生情報、前記送信情報のいずれに情報を追記するかを選択する選択手段と、
前記撮像手段による画像の取得に応じて、前記選択手段で選択された情報に前記追記情報に基づく情報を自動的に追記する追記手段と、
を有することを特徴とする撮像装置。
【請求項２】
前記プリント情報は、前記画像のプリント時におけるプリント枚数、回転角度、トリミング、日付入力、及びファイル名入力のうち少なくとも１つの設定のためのプリント情報であることを特徴とする請求項１に記載の撮像装置。
【請求項３】
前記再生情報は、前記画像の再生時における再生間隔、効果音、ファイル番号表示、及び日付表示のうち少なくとも１つの設定のための再生情報であることを特徴とする請求項１に記載の撮像装置。
【請求項４】
前記送信情報は、前記画像の送信時における送信先、本文、題、及びファイル名のうち少なくとも１つの設定のための送信情報であることを特徴とする請求項１に記載の撮像装置。
【請求項５】
前記プリント情報、前記再生情報、前記送信情報に追記する情報の内容を設定する追記情得設定手段をさらに有することを特徴とする請求項１に記載の撮像装置。
【請求項６】
前記追記情報の設定内容を表示する表示手段をさらに有することを特徴とする請求項１に記載の撮像装置。
【請求項７】
記憶媒体に記憶される画像に対するプリント条件が記述されたプリント情報、再生条件が記述された再生情報、送信条件が記述された送信情報とを記憶する設定記憶工程と、
前記プリント情報、前記再生情報、前記送信情報のいずれかに対して情報を追記するための追記情報を記憶する情報記憶工程と、
撮像手段によって画像を取得する前に、前記画像のプリント情報、前記再生情報、前記送信情報のいずれに情報を追記するかを選択する選択工程と、
前記撮像手段による画像の取得に応じて、前記選択工程において選択された情報に前記追記情報に基づく情報を自動的に追記する追記工程と、
を有することを特徴とする撮像方法。
【請求項８】
前記プリント情報、前記再生情報、前記送信情報に追記する情報の内容を設定する追記情得設定工程をさらに有することを特徴とする請求項７に記載の撮像方法。
【請求項９】
前記追記情報の設定内容を表示する表示工程をさらに有することを特徴とする請求項７に記載の撮像方法。
【請求項１０】
請求項７に記載の撮像方法をコンピュータに実行させることを特徴とするプログラム。
【請求項１１】
請求項１０に記載のプログラムをコンピュータ読み取り可能に記憶したことを特徴とする記憶媒体。
【発明の詳細な説明】
【０００１】
【発明の属する技術分野】
本発明は、画像のプリントを容易に行なえるようにすることができる撮像装置に関するものである。
【０００２】
【従来の技術】
近年、デジタルカメラで撮影した画像について、モニタ等の表示装置に表示するとともに、観賞用としてプリンター等で印刷する機会が増えている。このような状況下において、ユーザメリットという観点からＤＰＯＦ（Digital Print Order Format）と呼ばれる規格が発表されている。ＤＰＯＦ規格は、プリントするのに必要なプリント情報を電子化し、プリント情報を画像ファイルととともに記録媒体に保存するというもので、プリント情報の記述形式を統一化している。
【０００３】
プリント情報を保存するファイル（ＤＰＯＦファイルと呼ばれる）は、画像ファイルとは別のテキストファイル形式で記録媒体に記録することが規定されている。規格が拡張されて、プリント情報だけでなくスライドショーや画像ファイルの送信などについても再生情報、及び送信情報として記述形式を統一化している。
【０００４】
このような規格に従ってプリント情報、及び再生情報、及び送信情報を画像ファイルとともに記録媒体に保存することで、パーソナルプリンタとのダイレクトプリントや、異なる機種間でのスライドショーの実現、画像ファイルの送信といったユーザメリットの実現に効果がある。
【０００５】
一方撮影画像は、撮影レンズを通過した被写体光束が固体撮像素子（ＣＣＤなど）に到達し、被写体像を電気信号に変換し映像信号として出力される。出力された画像について、画像処理回路内でさまざまな変換処理が施され、最後に記録媒体に画像ファイルとして保存される。
【０００６】
一般的なデジタルカメラは、画像ファイルをデジタルカメラに内蔵の液晶モニタ（ＬＣＤ）で再生（表示）する機能を有し、例えば特開平１０-１２６７２４号公報に開示されているように、この再生画像を液晶モニタに一覧表示し、プリントする画像を指定する装置が提案されている。
【０００７】
また、特開２００１-０４５３３９号公報には、撮影モードでの撮影画像の確認画面上で、プリント指示を行う手段が開示されている。
【０００８】
また、特開２００１-０６９４５４号公報には、メモリカードなどの記録媒体に設けた固定ファイルに予め付加情報を格納し、撮影時に前記固定ファイルに格納された付加情報を自動的に取得し、利用する方法が開示されている。
【０００９】
【発明が解決しようとする課題】
従来のプリント設定では、撮影画像についてユーザが確認しながら、プリント指示を行っている。そのため、撮影画像を必ずプリントすると決めている場合においても、画像毎にプリント枚数の指定を行う必要があり、回転やトリミングなどの設定なども別途行う必要がある。
【００１０】
コンパクト性が重視されるデジタルカメラにおいては、物理的な制約などによって、機能毎に対応するボタンを用意することは困難であるため、プリント設定の操作がわかりずらいなどの問題点を抱えている。
【００１１】
また、プリント設定を容易に行えるようにするため、ボタンなど入力キーを特別に設定することは、カメラサイズが大きくなる、撮影時の不具合をもたらす可能性がある、といった問題を引き起こすことになる。
【００１２】
また、プリント指示を全画像に対して行う方法もあるが、プリント指示を全画像に対して設定し、プリント情報が確定した後でも、もう一度撮影モードで画像を撮影した場合は、再度全画像に対してプリント指定の指示をするなどのユーザ操作が必要となる。
【００１３】
また、撮影時に、付加情報を自動的に取得し、利用する方法も存在するが、撮影画像に対してプリント情報を設定することは想定されていないため容易には適用できないという問題点を抱えている。
【００１４】
従って、本発明は上述した課題に鑑みてなされたものであり、その目的は、デジタルカメラにおいて、画像のプリントを容易に行なえるようにすることである。
【００１５】
異なる機種間で画像の再生及び送信をする場合にユーザの操作の手間を低減することである。
【００１６】
【課題を解決するための手段】
上述した課題を解決し、目的を達成するために、本発明に係わる撮像装置は、記憶媒体に記憶される画像に対するプリント条件が記述されたプリント情報、再生条件が記述された再生情報、送信条件が記述された送信情報とを記憶可能な設定記憶手段と、前記プリント情報、前記再生情報、前記送信情報のいずれかに対して情報を追記するための追記情報を記憶する情報記憶手段と、撮像手段によって画像を取得する前に、前記画像のプリント情報、前記再生情報、前記送信情報のいずれに情報を追記するかを選択する選択手段と、前記撮像手段による画像の取得に応じて、前記選択手段で選択された情報に前記追記情報に基づく情報を自動的に追記する追記手段と、を有することを特徴としている。
【００１７】
また、この発明に係わる撮像装置において、前記プリント情報は、前記画像のプリント時におけるプリント枚数、回転角度、トリミング、日付入力、及びファイル名入力のうち少なくとも１つの設定のためのプリント情報であることを特徴としている。
【００１８】
また、この発明に係わる撮像装置において、前記再生情報は、前記画像の再生時における再生間隔、効果音、ファイル番号表示、及び日付表示のうち少なくとも１つの設定のための再生情報であることを特徴としている。
【００１９】
また、この発明に係わる撮像装置において、前記送信情報は、前記画像の送信時における送信先、本文、題、及びファイル名のうち少なくとも１つの設定のための送信情報であることを特徴としている。
【００２０】
また、この発明に係わる撮像装置において、前記プリント情報、前記再生情報、前記送信情報に追記する情報の内容を設定する追記情得設定手段をさらに有することを特徴としている。
【００２１】
また、この発明に係わる撮像装置において、前記追記情報の設定内容を表示する表示手段をさらに有することを特徴としている。
【００２２】
また、本発明に係わる撮像方法は、記憶媒体に記憶される画像に対するプリント条件が記述されたプリント情報、再生条件が記述された再生情報、送信条件が記述された送信情報とを記憶する設定記憶工程と、前記プリント情報、前記再生情報、前記送信情報のいずれかに対して情報を追記するための追記情報を記憶する情報記憶工程と、撮像手段によって画像を取得する前に、前記画像のプリント情報、前記再生情報、前記送信情報のいずれに情報を追記するかを選択する選択工程と、前記撮像手段による画像の取得に応じて、前記選択工程において選択された情報に前記追記情報に基づく情報を自動的に追記する追記工程と、を有することを特徴としている。
【００２３】
また、この発明に係わる撮像方法において、前記プリント情報、前記再生情報、前記送信情報に追記する情報の内容を設定する追記情得設定工程をさらに有することを特徴としている。
【００２４】
また、この発明に係わる撮像方法において、前記追記情報の設定内容を表示する表示工程をさらに有することを特徴としている。
【００２７】
また、本発明に係わるプログラムは、上記の撮像方法をコンピュータに実行させることを特徴としている。
また、本発明に係わる記憶媒体は、上記のプログラムをコンピュータ読み取り可能に記憶したことを特徴としている。
【００２８】
以上のような構成により、ユーザは撮影画像に対していちいちプリント設定をすることなく、撮影した画像全てを、わずらわしい設定処理をすることなくプリント設定することが可能である。同様に、画像のスライドショー、及び画像の送信についてもわずらわしい設定処理をしないで済む。
【００２９】
【発明の実施の形態】
以下、本発明の好適な実施形態について、添付図面を参照して説明する。
【００３０】
（第１の実施形態）
図１は、本発明のデジタルカメラの第１の実施形態の構成を示すブロック図である。
【００３１】
図１において、１０１は図示していない被写体からの光を結像するレンズ、１０２はレンズ１０１からの入射光量を調節する絞り機構、１０３はレンズ１０１から絞り機構１０２を通って入射した光を電気信号に変換する撮像素子、１０４は撮像素子１０３により光電変換された信号をサンプリングしてゲインコントロールするＣＤＳ・ＡＧＣ回路、１０５はＣＤＳ・ＡＧＣ回路１０４から出力されるアナログ信号をデジタル信号に変換するアナログ・デジタル変換器（以降、Ａ／Ｄ変換器と記述）、１０６はＡ／Ｄ変換器１０５によりＡ／Ｄ変換された信号に対して所定の処理を施すカメラ信号処理回路、１２１はカメラ信号処理回路１０６などの装置から出力されたデジタル信号をメモリ１１６などの他の装置へ転送するためのデータバス、１１５は本デジタルカメラ全体を制御するマイクロコンピュータ（以降、ＣＰＵと記述）、１２０はＣＰＵ１１５から出力される制御信号を伝達する制御バス、１１６はデータバス１２１から送られる画像データなどのデジタル信号を一時的に記憶する記録装置（以降、メモリと記述）、１１７はメモリ１１６上に一時的に記憶されている画像データを画像ファイルの形で保存するメモリカードやディスクなどの２次記録装置、１１８はカメラ信号処理回路１０６から出力した生の画像データをＪＰＥＧなどの圧縮アルゴリズムを用いて圧縮したりその逆に伸張したりする画像圧縮・伸張装置、１０８はＬＣＤ液晶表示装置１０９に出力する映像信号を保持する画像表示メモリ、１０７は画像表示メモリに出力されたデジタル信号をアナログ信号に変換するデジタル・アナログ変換器（以降、Ｄ／Ａ変換器と記述）、１０９はＤ／Ａ変換器１０７から出力されるアナログ映像信号をユーザに対して表示するＬＣＤ液晶表示装置である。
【００３２】
送信設定選択部１１０、再生設定選択部１１１、及びプリント設定選択部１１２は、単独のボタンキー、タッチパネルまたは十字ボタンが用いられる。１１４はプリント情報、再生情報、送信情報をなどの設定情報を作成、及び取得する設定情報作成・取得装置、１１９は撮影画像に対して、自動的にプリント情報、再生情報、送信情報の設定が行えるようにするための自動追記情報を作成、及び取得する自動追記情報作成・取得装置、１１３は自動追記情報作成・取得装置１１９で、取得した設定情報に基づいて、プリント情報、再生情報、送信情報を自動的に追記する設定情報自動追記装置である。
【００３３】
図２に電源がオンされてから設定情報自動追記装置１１３で、設定情報が自動追記されるまでの撮影モードでのメインルーチンのフローチャートを示す。
【００３４】
電源がオンされると処理が開始され（ステップＳ１００）、ステップＳ１０１では、後述の自動追記情報取得ルーチンを、ステップＳ１０２では、ステップＳ１０１で取得した自動追記情報、及びユーザ選択結果に基づいて、設定情報自動追記装置１１３に対して、画像の撮影後、設定情報を自動作成するよう指示する。
【００３５】
図６に、ステップＳ１０１で、自動追記情報を取得しようとした結果、プリント情報、及び再生情報については取得でき、送信情報については取得できなかった場合のＬＣＤ液晶表示装置１０９に表示される画面のイメージ図を示す。
【００３６】
ユーザは、前もって自動追記情報が設定してある設定について、撮影の前に設定情報を自動追記するかを選択する。
【００３７】
図７に、プリントのみ設定情報を自動追記するとした場合（ステップＳ１０２）のＬＣＤ液晶表示装置１０９に表示される画面のイメージ図を示す。
【００３８】
ステップＳ１０３で、ＬＣＤ液晶表示１０９への動画表示などの撮影前処理を行い、ステップＳ１０４で、シャッターボタンが押されると、ステップＳ１０５で、撮像素子１０３から出力された画像信号を、Ａ／Ｄ変換器１０５やカメラ信号処理回路１０６で処理し、ＪＰＥＧなどの画像ファイルを作成する。ステップＳ１０６で、画像ファイルを記録装置１１７に記録し、ステップＳ１０７で、後述の設定情報自動追記ルーチンを実行した後、ステップＳ１０３からステップＳ１０７を繰り返す。
【００３９】
図２で示すように、今まで撮影後に行っていた各種設定処理は、自動追記情報を適用するか否かの選択処理（ステップＳ１０２）だけで済み、ユーザは各画像に必要だったプリント設定、再生設定、送信設定についてのわずらわしい処理をしないで済む。
【００４０】
図３は、図２のステップＳ１０１の自動追記情報取得ルーチンのフローチャートである。
【００４１】
本ルーチンは、記録装置１１７内を検索し、自動追記情報があればその内容を解釈し、ＬＣＤ液晶表示装置１０９を用いてユーザに対し現在設定されている自動追記情報を表示するためのルーチンである。
【００４２】
ステップＳ１５１で、記録装置１１７内を検索して自動追記情報が記録されていれば、自動追記情報をメモリ１１６に読み出す。ステップＳ１５２では、自動追記情報が記録されていなければステップＳ１５６でメインルーチンへ戻り、自動追記情報が見つかりメモリ１１６へ読み出すことに成功していれば、ステップＳ１５３以降を実行する。
【００４３】
ステップＳ１５３で、デジタルカメラにおける機種依存情報を取得し、ステップＳ１５４におけるパラメータとなる情報を生成する。機種依存情報には、プリント設定、及び再生設定、及び送信設定ができるか、プリント設定において紙の設定ができるか、再生設定において再生間隔の設定ができるか、送信設定において送信先にどのような宛先を設定できるか等がある。
【００４４】
ステップＳ１５４で、メモリ１１６に読み出されている自動追記情報を解釈し、ステップＳ１５３で取得した機種依存情報を元に、デジタルカメラ毎に自動追記可能な設定内容を取得する。
【００４５】
プリント設定を自動追記する場合には、図８にあるような自動追記情報を自動追記情報作成・取得装置１１９で前もって編集、及び新規作成を行う（ステップＳ１５４）。同様に、再生設定の場合は、図９のような自動追記情報を、送信設定の場合は、図１０のような自動追記情報を、自動追記情報作成・取得装置１１９で前もって編集、及び新規作成を行う（ステップＳ１５４）。
【００４６】
図１１に、プリント設定におけるステップＳ１５３で取得した機種依存情報のＬＣＤ液晶表示装置１０９に表示される画像のイメージ図を示す。
【００４７】
図１２に、ステップＳ１５３で取得した機種依存情報と記録装置１１７に存在した自動追記情報をもとに、設定情報自動追記装置１１３を備えるデジタルカメラにおいて自動追記の内容がＬＣＤ液晶表示装置１０９に表示される画面のイメージ図を示す。
【００４８】
図１２では、記録装置１１７内の自動追記情報では、トリミングの指定を設定しているが（図８）、デジタルカメラにトリミングの設定を行う機能がない場合（図１１）、最終的に自動追記情報となっていないことを示している。ステップＳ１５５で、ステップＳ１５４で取得した自動追記情報の内容をＬＣＤ液晶表示装置１０９で表示する。ステップＳ１５６で、メインルーチンへ戻る。
【００４９】
図４は、図２のステップＳ１０７の設定情報自動追記ルーチンのフローチャートである。
【００５０】
本ルーチンは、図２のステップＳ１０５で撮影された画像に対して、自動追記情報が有効であれば自動的に設定情報を追記するためのルーチンである。設定情報自動追記装置１１３において、ステップＳ２０１では、図２のＳ１０２の結果より、設定情報を自動追記しない場合は、ステップＳ２０５でメインルーチンへ戻り、設定情報を自動追記する場合は、ステップＳ２０２以降を実行する。ステップＳ２０２で、図２のステップＳ１０５で撮影された画像に関する情報、撮影画像のパス名、及びファイルフォーマットを取得する。ステップＳ２０３で、ステップＳ２０２で取得した撮影画像データ、及び図２のステップＳ１０２で選択された自動追記情報を元に、設定情報を作成し、記録装置１１７に記録する。ステップＳ２０４で、ＬＣＤ液晶表示装置１０９へ設定情報の記録結果を表示する。ステップＳ２０５で、メインルーチンへ戻る。
【００５１】
図５に電源がオンされてから自動追記情報を編集するまでの再生モードでのメインルーチンのフローチャートを示す。
【００５２】
電源がオンされると処理が開始され（ステップＳ２５０）、ステップＳ２５１で、撮影画像についてＬＣＤ液晶表示装置１０９で表示する。ステップＳ２５２で、設定ボタンが押されるとステップＳ２５３で、前述の自動追記情報取得ルーチンが実行される。
【００５３】
図８、図９、及び図１０は、ステップＳ２５３で取得した自動追記情報を元にした設定情報を自動的に追記するための設定を行う編集画面のイメージ図である。プリント設定を自動追記する場合には、図８にあるような自動追記情報を自動追記情報作成・取得装置１１９で前もって編集、及び新規作成を行う（ステップＳ２５４）。同様に、再生設定の場合は、図９のような自動追記情報を、送信設定の場合は、図１０のような自動追記情報を、自動追記情報作成・取得装置１１９で前もって編集、及び新規作成を行う（ステップＳ２５４）。ステップＳ２５５で、自動追記情報記録処理を行い記録装置１１７へ自動追記情報を保存し、ステップＳ２５１以降を繰り返す。
【００５４】
撮影前に自動追記情報作成・取得装置１１９で追記内容を取得することで、前もって編集した自動追記情報の結果を反映し、画像の撮影後に行っていたわずらわしい操作を行うことなく自動的に設定情報を追記する操作を実現する。
【００５５】
（第２の実施形態）
以下、本発明の第２の実施形態を図面及びフローチャートを参照して説明する。本発明の第１の実施形態で示した手段に加え、設定情報作成（図４のステップＳ２０３）において、設定情報自動追記装置１１３で作成するプリント情報、及び再生情報、及び送信情報をＤＰＯＦ規格に従った記述形式とする。自動追記情報作成・取得装置１１９で作成した自動追記情報から、設定情報自動追記装置１１３で設定情報が作成されるまでのＤＰＯＦ規格に従った設定情報を追記する場合のフローチャート図を図１３に示す。
【００５６】
図１３で電源がオンされると処理が開始され（ステップＳ３００）、ステップＳ３０１では、前述の自動追記情報取得ルーチンを実行する。ステップＳ３０２では、ステップＳ３０１で取得した自動追記情報、及びユーザ選択結果に基づいて、設定情報自動追記装置１１３に対して、画像の撮影後、ＤＰＯＦ規格に従った設定情報を自動追記するよう指示する。ステップＳ３０３では、設定情報を記録するためのＤＰＯＦ規格に従った記録ファイルが記録装置１１７上に存在しなければ、新規に前記記録ファイルを作成する。ステップＳ３０４で、ＬＣＤ液晶表示装置１０９への動画表示などの撮影前処理を行い、ステップＳ３０５で、シャッターボタンが押されると、ステップＳ３０６で、撮像素子１０３から出力された画像信号を、Ａ／Ｄ変換器１０５やカメラ信号処理回路１０６で処理し、ＪＰＥＧなどの画像ファイルを作成する。ステップＳ３０７で、画像ファイルを記録装置１１７に記録する。ステップＳ３０８で、自動追記する設定情報の中で画像ファイルに依存せず自動追記情報だけで済む内容を取得し、ＤＰＯＦ規格に従った記述形式を作成する。ステップＳ３０９で、画像ファイル固有の設定情報、及び自動追記情報から自動追記する設定情報を取得し、ＤＰＯＦ規格に従った記述形式を作成する。ステップＳ３１０で、ステップＳ３０８、及びステップＳ３０９で作成したＤＰＯＦ規格に従った設定情報を、前記記録ファイルに書き込む。上記記録ファイルに設定情報を書き込んだ後、ステップＳ３０４からステップＳ３１０を繰り返す。
【００５７】
図１３に示すように、今まで撮影後に行っていた各種設定処理は、自動追記情報を適用するか否かの選択処理（ステップＳ３０２）だけで済む。第２の実施形態についても、第１の実施形態と同じくユーザは各画像に必要だったプリント設定、再生設定、送信設定についてのわずらわしい操作は必要ない。
【００５８】
（第３の実施形態）
以下、本発明の第３の実施形態を図面及びフローチャートを参照して説明する。
【００５９】
本発明の第１の実施形態で示した手段に加え、自動追記情報作成・取得装置１１９で作成される自動追記情報を、ＤＰＯＦ規格のベンダーユニークリージョンの領域内に作成するようにしたものである。
【００６０】
図１４に、自動追記情報をＤＰＯＦ規格のベンダーユニークリージョン内に作成するフローチャート図を示す。
【００６１】
図１４で電源がオンされると処理が開始され（ステップＳ３５０）、ステップＳ３５１で、撮影画像についてＬＣＤ液晶表示装置１０９で表示する。撮影画像を再生中に設定ボタンが押されると（ステップＳ３５２）、ステップＳ３５３で、自動追記情報を記述するＤＰＯＦ規格に従った記録ファイルを検索する。ステップＳ３５４で、自動追記情報を記録している前記記録ファイルが存在すれば、ステップＳ３５５以降を実行し、存在しなければステップＳ３５７以降を実行する。ステップＳ３５５では、前記記録ファイル内をＤＰＯＦ規格に従って解析し、ベンダーユニークリージョンを見つける。ステップＳ３５６で、ベンダーユニークリージョン内に自動追記情報が記述してあれば、自動追記情報を取得する。
【００６２】
自動追記情報の設定メニューについて、ステップＳ３５６で取得した自動追記情報は、ＬＣＤ液晶表示装置１０９に図８、及び図９、及び図１０のように表示される。プリント設定は、図８のような表示画面について、ステップＳ３５７で、自動追記情報を編集し、その結果をベンダーユニークリージョン内に記述する。同様に再生設定は、図９のような表示画面に対して、送信設定は、図１０のような表示画面に対して、ステップＳ３５７で自動追記情報を編集し、その結果をベンダーユニークリージョン内に記述する。ステップＳ３５４で、ＤＰＯＦ規格に従った記録ファイルがない場合は、新規にＤＰＯＦ規格に従った記録ファイルを作成する（ステップＳ３５７）。ステップＳ３５８で、ステップＳ３５７で編集、又は新規作成した自動追記情報を記録装置１１７で記録する。自動追記情報を記録後はステップＳ３５１以降を繰り返す。
【００６３】
（第４の実施形態）
以下、本発明の第４の実施形態を図面及びフローチャートを参照して説明する。
【００６４】
本発明の第１の実施形態で示した手段に加え、自動追記情報作成・取得装置１１９で自動追記情報を複数作成・取得し、複数の自動追記情報の中から選択する。
【００６５】
図１５は、図８の自動追記情報設定メニューにおいて、プリント設定の自動追記を複数の中から選択できることをＬＣＤ液晶表示装置１０９で表示しているイメージ図である。新規追加ボタンを押すと自動追記を行う設定情報について、別の設定で保存できる。
【００６６】
以上説明したように、上記の各実施形態によれば、プリント設定機能を有するデジタルカメラにおいて、ユーザによるプリント指示を行うのではなく、プリント情報を自動的に追記することによって、プリント設定におけるユーザ操作の手間の低減を図り、撮影画像を容易にプリント設定できるデジタルカメラを提供することができる。同様に、異なる機種間での再生設定、及び画像ファイルの送信を想定した送信設定についても設定情報を自動的に追記し、ユーザ操作の手間を低減するデジタルカメラを提供することができる。
【００６７】
言い換えれば、記録媒体に前もってどのようなプリント設定を行うのかを記述することによって、画像撮影後のプリント設定にかかるユーザ操作の手間を省くことができる。
【００６８】
また、プリント設定の自動追記にあたりＤＰＯＦ規格にしたがっているため、ＤＰＯＦ規格に対応している機種間で設定内容を利用することが可能である。プリント設定だけでなく、再生設定、送信設定についても同様である。
【００６９】
【他の実施形態】
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやMPU）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム(OS)などが実際の処理の一部または全部を行い、その処理によって前述した実施形態の機能が実現される場合も含まれることは言うまでもない。
【００７０】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００７１】
本発明を上記記憶媒体に適用する場合、その記憶媒体には、先に説明したフローチャートに対応するプログラムコードが格納されることになる。
【００７２】
【発明の効果】
以上説明したように、本発明によれば、デジタルカメラにおいて、画像のプリントを容易に行なえるようにすることができる。
【００７３】
また、異なる機種間で画像の再生及び送信をする場合にユーザの操作の手間を低減することができる。
【図面の簡単な説明】
【図１】本発明の第１の実施形態のデジタルカメラの構成を示すブロック図である。
【図２】デジタルカメラの撮影モードでのメインルーチンのフローチャートである。
【図３】自動追記情報を取得するルーチンのフローチャートである。
【図４】設定情報を自動追記するルーチンのフローチャートである。
【図５】デジタルカメラの再生モードでのメインルーチンのフローチャートである。
【図６】自動追記情報を編集するためのメニュー画面のイメージ図である。
【図７】自動追記を選択するためのメニュー画面のイメージ図である。
【図８】プリント設定メニュー画面のイメージ図である。
【図９】再設定メニュー画面のイメージ図である。
【図１０】送信設定メニュー画面のイメージ図である。
【図１１】機種依存情報の表示画面のイメージ図である。
【図１２】自動追記情報の表示画面のイメージ図である。
【図１３】撮影ルーチンのフローチャートである。
【図１４】再生ルーチンのフローチャートである。
【図１５】図８の自動追記情報設定メニューにおいて、プリント設定の自動追記を複数の中から選択できることをＬＣＤ液晶表示装置で表示しているイメージ図である。
【符号の説明】
１２２  ＬＣＤ液晶表示部
１２３  自動追記情報取得結果メニュー
１２４  自動追記選択ボタン
１２５  自動追記決定状態
１２６  自動追記情報設定メニュー
１２７  機種依存情報
１２８  自動追記情報
【図１】
0003848151.tif 000002
【図２】
0003848151.tif 000003
【図３】
0003848151.tif 000004
【図４】
0003848151.tif 000005
【図５】
0003848151.tif 000006
【図６】
0003848151.tif 000007
【図７】
0003848151.tif 000008
【図８】
0003848151.tif 000009
【図９】
0003848151.tif 000010
【図１０】
0003848151.tif 000011
【図１１】
0003848151.tif 000012
【図１２】
0003848151.tif 000013
【図１３】
0003848151.tif 000014
【図１４】
0003848151.tif 000015
【図１５】
0003848151.tif 000016